(57)【要約】      （修正有）【課題】陰部や肛門を隅々まで水で洗うことができる風呂椅子を提供する。【解決手段】２枚の板で、風呂椅子の座面を造る。２枚の板の間には、隙間がある。それぞれの板の前後に、脚が２本ずつ付いている。２枚の板の、２本の前脚と２本の後ろ脚が、それぞれ１本の接続棒で連結されている。２本の接続棒は、座面用の板に付いている脚の下部の比較的低い位置にある。２枚の板の中央やや下寄りに、１本の噴水管を設置する。噴水管は、硬い管である。噴水管の噴水部の前部は、上向きに湾曲し、一部が座面から上に突き出ている。噴水管における噴水部分の、湾曲していない部分の中央と後部、および湾曲部分には、噴水孔または噴水口（口径が比較的大きい）があるが、湾曲していない部分の前部にはない。噴水時に、噴水管の湾曲部分が、洗浄される部分とある程度離れている必要があるため、この部分は、水を噴き出せないようになっている。【選択図】図１
0003156228.tif 000002
【実用新案登録請求の範囲】
【請求項１】
水を噴き出すことができる、風呂椅子。
【請求項２】
下から上に水を噴き出し、水平方向にも水を噴射する、請求項１記載の風呂椅子。
【請求項３】
噴水装置を設置した、請求項１記載の風呂椅子。
【請求項４】
噴水管を設置した、請求項３記載の風呂椅子。
【請求項５】
平らな噴水装置を設置した、請求項３記載の風呂椅子。
【請求項６】
噴水装置の前部が、上向きに湾曲した、請求項３記載の風呂椅子。
【請求項７】
２枚の板によって座面が造られ、その間に隙間があり、隙間の下寄りに噴水装置を設置した、請求項３記載の風呂椅子。
【請求項８】
噴水管の前部が、上向きに湾曲した、請求項４記載の風呂椅子。
【請求項９】
平らな噴水装置の前部が、上向きに湾曲した、請求項５記載の風呂椅子。
【考案の詳細な説明】
【技術分野】
【０００１】  本考案は、風呂椅子に関するものである。
【背景技術】
【０００２】  従来型の風呂椅子には、陰部や肛門を水で洗う部分が存在せず、噴水機能を備えていない。
【考案の開示】
【考案が解決しようとする課題】
【０００３】  上記の従来型の風呂椅子には、陰部や肛門を水で洗う部分が存在しないため、陰部や肛門を水で洗うことができない。風呂椅子に座って、たらいを使って洗おうとしても不便であり、水が届かない部分もある。【０００４】  本考案は、従来型の風呂椅子に存在する上記の問題を、解決することができる。本考案の風呂椅子は、陰部や肛門を隅々まで水で洗うことができる。
【課題を解決するための手段】
【０００５】  本考案は、上記の目的を達成するため、風呂椅子に噴水装置を設置する。
【考案の効果】
【０００６】  本考案の噴水装置付き風呂椅子は、下から上に水を噴き出すばかりでなく、水平方向にも水を噴射するので、陰部や肛門を隅々まで水で洗うことができる。
【考案を実施するための最良の形態】
【０００７】  実施例１では、２枚の板で、風呂椅子の座面を造る。２枚の板の間には、隙間がある。それぞれの板の前後に、脚が２本ずつ付いている。２枚の板の、２本の前脚と２本の後ろ脚が、それぞれ１本の接続棒で連結されている。２本の接続棒は、座面用の板に付いている脚の下部の比較的低い位置にある。２枚の板の中央やや下寄りに、１本の噴水管を設置する。噴水管は、硬い管である。噴水管の噴水部の前部は、上向きに湾曲し、一部が座面から上に突き出ている。噴水管における噴水部分の、湾曲していない部分の中央と後部、および湾曲部分には、噴水孔または噴水口（口径が比較的大きい）があるが、湾曲していない部分の前部にはない。噴水時に、噴水管の湾曲部分が、洗浄される部分とある程度離れている必要があるため、この部分は、水を噴き出せないようになっている。もし、この部分に、噴水孔（または噴水口）を設置すると、上向きに細い水流が噴射されてしまい、体に当らない。また、噴射された細い水流が、噴水管の湾曲部分から噴き出した細い水流とぶつかり、湾曲部分から噴き出した細い水流が前に噴射されるのを妨げてしまう。【０００８】  噴水管の前端に、接水管（軟らかい管）をかぶせることができる、小さな管（硬い管）を１本設置する。使用時には、接水管（軟らかい管）の一方の端を、噴水管の前端に設置された、その小さな管にかぶせ、もう一方の端を温水の蛇口にかぶせる。【０００９】  実施例２では、噴水管に、２列または３列の噴水孔を並べて設置する。ここでも、噴水管の噴水部の前部が上向きに湾曲しており、風呂椅子に固定されると、一部が座面用の板から上に突き出る。噴水管の噴水部の平らな部分（湾曲していない部分）の前部には、噴水孔を設置せず、中央と後部に、２列または３列の噴水孔を並べて設置する。湾曲部分にも、２列または３列の噴水孔を並べて設置する。【００１０】  実施例３では、実施例１における噴水管の噴水部を、平らな噴水装置に換える。平らな噴水装置とは、おおよそシャワーの噴水口のようなものである。平らな噴水装置の前部は、上向きに湾曲し、一部が座面用の板から上に突き出ている。平らな噴水装置の水平部分の前部には、噴水孔がなく、中部と後部には、数列の噴水孔がある。湾曲部分にも、数列の噴水孔がある。
【実施例１】
【００１１】  図１に沿って説明する。１は座面用の板である。２は脚である。３は接続棒である。４は噴水管である。２枚の座面用の板１の前部に付いている２本の脚２を連結する接続棒３の中央と、後部に付いている２本の脚２を連結する接続棒３の中央に、垂直に設置された２本の管に、噴水管４を固定する。噴水管４の噴水部の湾曲していない部分は、座面用の板１より低い。
【実施例２】
【００１２】  図２に沿って説明する。６は並べて設置された、３列（または２列）の噴水孔を持つ噴水管である。実施例１における噴水管４の換わりに、３列（または２列）の噴水孔を持つ噴水管６を設置する。
【実施例３】
【００１３】図３に沿って説明する。７は平らな噴水装置である。実施例１における噴水管４を、平らな噴水装置７に換える。平らな噴水装置７の前部も、上向きに湾曲し、数列の噴水孔がある。平らな噴水装置７の水平部分の中部と後部に、数列の噴水孔を設置するが、前部には、設置しない。２枚の座面用の板に付いている前脚２本を連結する接続棒に、垂直に設置された２本の管と、後脚２本を連結する接続棒に、垂直に設置された２本の管に、平らな噴水装置７を固定する。
【図面の簡単な説明】
【００１４】
【図１】本考案の実施例１における、噴水装置付き風呂椅子の略図
【図２】本考案の実施例２における、噴水装置付き風呂椅子の噴水管
【図３】本考案の実施例３における、噴水装置付き風呂椅子の平らな噴水装置
【符号の説明】    １  座面用の板
２  脚
３  接続棒
４  噴水管
５  接水管につなげる管
６  実施例２の噴水管
７  平らな噴水装置
【図１】
0003156228.tif 000003
【図２】
0003156228.tif 000004
【図３】
0003156228.tif 000005
【手続補正書】
【提出日】平成21年6月8日(2009.6.8)
【手続補正１】
【補正対象書類名】実用新案登録請求の範囲
【補正対象項目名】全文
【補正方法】変更
【補正の内容】
【実用新案登録請求の範囲】
【請求項１】
座面の中央やや下寄りに、噴水装置を設置した風呂椅子。
【請求項２】
２枚の板によって座面が造られ、その間に隙間があり、隙間の下寄りに噴水装置を設置した、請求項１記載の風呂椅子。
【請求項３】
噴水装置の前部が、上向きに湾曲した、請求項１記載の風呂椅子。
【請求項４】
座面の中央やや下寄りに、噴水管を設置した、請求項１記載の風呂椅子。
【請求項５】
座面の中央やや下寄りに、平らな噴水装置を設置した、請求項１記載の風呂椅子。
【請求項６】
噴水装置の上向きに湾曲した部分にも、噴水孔がある、請求項３記載の風呂椅子。
【請求項７】
噴水装置の前部が、上向きに湾曲した、請求項２記載の風呂椅子。
【請求項８】
噴水装置の上向きに湾曲した部分にも、噴水孔がある、請求項７記載の風呂椅子。
【請求項９】
噴水管の前部が、上向きに湾曲した、請求項４記載の風呂椅子。
【請求項１０】
平らな噴水装置の前部が、上向きに湾曲した、請求項５記載の風呂椅子。
【手続補正書】
【提出日】平成21年9月24日(2009.9.24)
【手続補正１】
【補正対象書類名】実用新案登録請求の範囲
【補正対象項目名】全文
【補正方法】変更
【補正の内容】
【実用新案登録請求の範囲】
【請求項１】
座面の中央で、座面から離れた位置で、座面より低い位置に噴水装置を設けた風呂椅子。
【請求項２】
２枚の板によって座面が造られ、その間に隙間があり、隙間の下寄りに噴水装置を設置した、請求項１記載の風呂椅子。
【請求項３】
噴水装置の接続管につながる上流部が、上向きに湾曲した、請求項１記載の風呂椅子。
【請求項４】
前記噴水装置は、噴水管である、請求項１記載の風呂椅子。
【請求項５】
前記噴水装置は、平らな噴水装置である、請求項１記載の風呂椅子。
【請求項６】
噴水装置は上向きに湾曲した部分を有し、この湾曲した部分に噴水孔を設けた、請求項３記載の風呂椅子。
【請求項７】
噴水装置の上流部が、上向きに湾曲した、請求項２記載の風呂椅子。
【請求項８】
噴水装置の上流部にも、噴水孔がある、請求項７記載の風呂椅子。
【請求項９】
噴水管の上流部が、上向きに湾曲した、請求項４記載の風呂椅子。
【請求項１０】
平らな噴水装置の上流部が、上向きに湾曲した、請求項５記載の風呂椅子。